(57)【要約】【課題】  扉を固定する保持力を強くすると共に、扉の固定を少ない操作で容易に解除することができる回転扉の保持機構を得ることを目的とする。【解決手段】  筐体１の前面に対して、扉２が回転軸２ａを中心として回転自在に軸止されている。扉２は、回転軸２ａの周辺にリブ２ｂを形成している。リブ２ｂの下端には円弧形状のリブ円弧部２ｃを形成している。更に、リブ円弧部２ｃの一端からリブ２ｂの上端に向かって、段差形状のリブ段差部２ｄを形成している。板バネ３は、筐体１の前面に固定する固定部３ａと自由端３ｂとの間に、段差形状の段差部３ｃを形成している。更に、段差部３ｃと自由端３ｂとの間には、Ｌ字形状のＬ字部３ｄを形成している。【選択図】        図２
2006336383.tif 000002
【特許請求の範囲】
【請求項１】
筐体の前面に回転軸で軸止される扉と、
段差形状を有し、前記扉の回転軸周辺に形成されるリブと、
前記回転軸の周辺で一端を前記筐体に固定され、前記固定端から延出する部分に段差形状が形成され、自由端が前記リブから露出した位置に配置される板バネとを備え、
前記扉を開いたときには、前記リブの段差形状が前記板バネの段差形状に入り込んで係止され、
前記扉を閉じるときには、前記板バネの前記自由端を押すことで前記リブの段差形状が前記板バネの段差形状から外れることを特徴とする回転扉の保持機構。
【請求項２】
前記板バネの前記段差形状と前記自由端との間がＬ字形状であることを特徴とする請求項１記載の回転扉の保持機構。
【請求項３】
前記リブの段差形状の外周部分に、所定の曲率半径を有する円弧形状を形成したことを特徴とする請求項１または請求項２記載の回転扉の保持機構。
【請求項４】
前記板バネの前記自由端と前記段差形状との間の部分において、前記板バネの幅方向の両端を折り曲げたことを特徴とする請求項１から請求項３のうちのいずれか１項記載の回転扉の保持構造。
【請求項５】
前記板バネにおいて、前記扉を開いたときに前記リブと対向する位置に凸部を形成したことを特徴とする請求項１から請求項３のうちのいずれか１項記載の回転扉の保持機構。
【請求項６】
前記リブの前記段差形状の段差角度を鋭角にしたことを特徴とする請求項１から請求項３のうちのいずれか１項記載の回転扉の保持機構。
【請求項７】
前記リブと前記扉とを別部品で構成したことを特徴とする請求項１から請求項３のうちのいずれか１項記載の回転扉の保持機構。
【請求項８】
前記板バネの前記段差形状と前記自由端との間の部分を延出したことを特徴とする請求項１から請求項３のうちのいずれか１項記載の回転扉の保持機構。
【請求項９】
前記板バネを前記筐体に取り付けた状態で、鉛直方向で上から下へ順に前記固定端、前記段差形状、前記自由端と配置したことを特徴とする請求項１から請求項３のうちのいずれか１項記載の回転扉の保持機構。
【請求項１０】
前記扉を開いたときに、前記板バネを前記筐体に固定する固定具と前記リブが当接して前記扉の開放限度を規定することを特徴とする請求項１から請求項３のうちのいずれか１項記載の回転扉の保持機構。
【発明の詳細な説明】
【技術分野】
【０００１】
この発明は、通信機器や電子機器等の筐体に備わる回転扉の保持機構に関するものである。
【背景技術】
【０００２】
従来の電子機器の筐体に備わる回転扉の保持機構としては、筐体前面に水平に軸を設けてその軸の回りに回転自在に扉を取り付け、前記扉は前記軸の回りの円弧の一方の端に凹部を形成すると共に、円弧の他方の端を切り落として弦を形成し、板バネをその自由端が前記円弧に当接するように前記筐体に固定したものがある。前記扉を開いた時には前記板バネの自由端が前記円弧の弦を押圧する一方、前記扉を閉じた時には前記板バネの自由端が前記円弧の凹部に入り込む構成にしている（例えば、特許文献１参照）。
【０００３】
特許文献１記載の回転扉の保持機構は、上記構成とすることにより、回転扉の開放状態と閉鎖状態において、１つの板バネで扉を保持することができると共に、部品点数の減少に伴うコストダウンを実現している。
【０００４】
【特許文献１】特開２０００−１６０９０８号公報
【発明の開示】
【発明が解決しようとする課題】
【０００５】
従来の回転扉の保持機構は以上のように構成されていたので、扉が開放状態の場合に、扉を固定する保持力が１つの板バネの反発力のみであるため、安定させるには保持力が十分ではないという課題があった。
【０００６】
この発明は上記のような課題を解消するためになされたもので、扉が解放状態の場合に、扉を固定する保持力を強くすると共に、開放状態から閉鎖状態へ移行するときに、扉の固定を少ない操作で容易に解除することができる回転扉の保持機構を得ることを目的とする。
【課題を解決するための手段】
【０００７】
この発明に係る回転扉の保持機構は、筐体の前面に回転軸で軸止される扉と、段差形状を有し、前記扉の回転軸周辺に形成されるリブと、前記回転軸の周辺で一端を前記筐体に固定され、前記固定端から延出する部分に段差形状が形成され、自由端が前記リブから露出した位置に配置される板バネとを備えている。
前記扉を開いたときには、前記リブの段差形状が前記板バネの段差形状に入り込んで係止され前記扉を閉じるときには、前記板バネの前記自由端を押すことで前記リブの段差形状が前記板バネの段差形状から外れるように構成している。
【発明の効果】
【０００８】
この発明によれば、扉を開いた時に板バネの段差形状がリブの段差形状に入り込むように構成したので、扉を開いた時の扉を固定する保持力を向上することができる。
また、扉を開いた時に板バネの自由端を押すことによりリブの段差形状に入り込んだ板バネの段差形状が外れるように構成したので、扉を開いた時の扉の固定を解除する操作性能を向上することができる。
【発明を実施するための最良の形態】
【０００９】
実施の形態１．
以下、この発明の実施の形態１について説明する。図１は、この発明の実施の形態１に係る回転扉の保持機構において、扉の開放状態を示す全体斜視図である。図１において、筐体１の前面に対して、扉２を回転自在に軸止している。そして、扉２の回転軸の周辺で筐体１の上に板バネ３を固定している。
【００１０】
図２は、この発明の実施の形態１に係る回転扉の保持機構において、扉の開放状態を示す要部断面図である。図２において、筐体１の前面に対して、扉２が回転軸２ａを中心として回転自在に軸止されている。
【００１１】
扉２は、回転軸２ａの周辺にリブ２ｂを形成している。リブ２ｂの下端には円弧形状のリブ円弧部２ｃを形成している。更に、リブ円弧部２ｃの一端からリブ２ｂの上端に向かって、段差形状のリブ段差部２ｄを形成している。
【００１２】
板バネ３は、筐体１の前面に固定する固定部３ａと自由端３ｂとの間に、段差形状の段差部３ｃを形成している。更に、段差部３ｃと自由端３ｂとの間には、Ｌ字形状のＬ字部３ｄを形成している。
【００１３】
板バネ３の固定部３ａには孔が穿設されており、筐体１の前面には孔部１ａが穿設されている。固定部３ａの孔中心が孔部１ａの中心と一致するように、板バネ３を筐体１の表面に当接する。そして、両孔に固定具４を挿通することで、板バネ３を筐体１に固定部３ａで固定する。固定具４としては、ピンやネジ等が考えられ、孔部１ａも固定具４に対応したものとする（ピン孔、ネジ孔等）。
【００１４】
扉２を開いた時には、板バネ３の段差部３ｃが扉２のリブ段差部２ｄに入り込む。そして、扉２を閉める時には、段差部３ｃがリブ段差部２ｄに入り込んでいる状態で、板バネ３の自由端３ｂを押すことにより、板バネ３の段差部３ｃが扉２のリブ段差部２ｄから外れる。その結果、扉２が回転軸２ａを中心として、筐体１に対して回転自在となる。
【００１５】
次に、動作について説明する。図２において、扉２を開いた時に、板バネ３の段差部３ｃが、扉２のリブ段差部２ｄに入り込む。この状態で扉２を閉めようとすると、段差部３ｃがリブ段差部２ｄに係止されているので、扉２は回転することができない。この係止状態は、段差部３ｃがリブ段差部２ｄに幾何学的に掛かっているため、段差部３ｃまたはリブ段差部２ｄが破壊されない限り、扉２は回転することができない。従って、開放状態において、確実に扉２を固定する保持力を得ることができる。
【００１６】
図３は、この発明の実施の形態１に係る回転扉の保持機構において、扉を閉めるために板バネを押している状態を示す要部断面図である。図３において、扉２を閉める時に、板バネ３の自由端３ｂを筐体１方向（図３中矢印方向）へ押すことにより、段差部３ｃをリブ段差部２ｄから外すことができる。従って、単に板バネ３の自由端３ｂを押すことのみで、扉２の固定を解除することができ、扉２の開放状態を解除する操作性能が向上する。板バネ扉２が回転軸２ａを中心に回転自在となる。
【００１７】
図４は、この発明の実施の形態１に係る回転扉の保持機構において、扉を閉めている途中を示す要部断面図である。図４において、扉２を閉めている途中で、リブ円弧部２ｃが板バネ３を押すと板バネ３が撓む。一方、この板バネ３の反力がリブ円弧部２ｃにかかることとなる。
【００１８】
図５は、この発明の実施の形態１に係る回転扉の保持機構において、扉の閉鎖状態を示す要部断面図である。図５において、扉２を閉め切った時に、リブ円弧部２ｃの曲率半径を適正な形状とすることで（例えば、リブ円弧部２ｃが扉を閉じた時に板バネ３と接触しないように曲率半径を可変させて、扉を閉め始めた時に当たるリブの位置の曲率半径よりも、扉を閉め切った時に当たるリブの位置の曲率半径を小さくする）、リブ円弧部２ｃが板バネ３を必要以上に押さないようにすることができる。従って、板バネ３の反力がリブ段差部２ｄにかかり続けることがないため、扉２、特にリブ段差部２ｄとリブ円弧部２ｃ、リブ２ｂの破壊を防止することができる。
【００１９】
以上のように、この実施の形態１によれば、扉２を開いた時に板バネ３の段差部３ｃがリブ２ｂのリブ段差部２ｄに入り込むように構成したので、扉２を開いた時の扉２を固定する保持力を向上することができる。
また、扉２を開いた時に板バネ３の自由端３ｂを押すことによりリブ段差部２ｄに入り込んだ板バネ３の段差部３ｃが外れるように構成したので、扉２を開いた時の扉２の固定を解除する操作性能を向上することができる。
更に、板バネ３の反力がリブ円弧部２ｃにかかり続けることがないため、扉２、特にリブ段差部２ｄとリブ円弧部２ｃ、リブ２ｂの破壊を防止することができる。
【００２０】
実施の形態２．
以下、この発明の実施の形態２について説明する。図６は、この発明の実施の形態２に係る回転扉の保持機構において、板バネの剛性を向上させた場合を示す要部断面図である。実施の形態２においては、実施の形態１と同一構成部分についてはその説明を省略し、相違する部分についてのみ説明する。
【００２１】
図６に示すように、板バネ３の段差部３ｃと自由端３ｂの間の両端に曲げ部３ｅを形成する。曲げ部３ｅにより板バネ３の自由端３ｂから段差部３ｃまでの剛性が向上し、板バネ３の撓みが減る。その結果、扉２の固定を解除する時に板バネ３の自由端３ｂを押す操作量を少なくすることができる。
【００２２】
以上のように、この実施の形態２によれば、自由端３ｂから段差部３ｃまでの剛性を向上し、板バネ３の撓みが減るため、扉２の固定を解除する時の操作量を少なくすることができる。その結果、実施の形態１に比べて、固定を解除する操作性能を向上することができる。
【００２３】
実施形態３．
以下、この発明の実施の形態３について説明する。図７は、この発明の実施の形態３に係る回転扉の保持機構において、板バネの座屈方向を規制した場合を示す要部断面図である。実施の形態３においては、実施の形態１と同一構成部分についてはその説明を省略し、相違する部分についてのみ説明する。
【００２４】
図７に示すように、板バネ３の固定部３ａと段差部３ｃの間において、リブ２ｂ方向に凸部３ｆを形成する。リブ段差部２ｄに係止した板バネ３の段差部３ｃを外すこと無しに、扉２を無理に閉めようとすると、板バネ３が座屈により変形しようとする。この時に、凸部３ｆにより、板バネ３に負荷が加わる方向がリブ２ｂ方向となるように制御することができる。凸部３ｆはリブ２ｂに当接しているため、板バネ３が容易に変形することはない。従って、リブ段差部２ｄに係止した段差部３ｃをより外れ難くすることができる。
【００２５】
以上のように、この実施の形態３によれば、凸部３ｆがリブ２ｂに当接することにより、故意にリブ２ｂ方向に負荷を加えることができるため、リブ段差部２ｄに係止した段差部３ｃを外れにくくすることができる。その結果、より確実な扉２を固定する保持力を得ることができる。
【００２６】
実施の形態４．
以下、この発明の実施の形態４について説明する。図８は、この発明の実施の形態４に係る回転扉の保持機構において、リブ段差部を鋭角にした場合を示す拡大断面図である。
図８において、扉２が開放状態の場合、扉２のリブ段差部２ｄを鋭角とすることで、リブ段差部２ｄに対して板バネ３の段差部３ｃがより強固に掛かることになる。その他の構成は、実施の形態１と同様であるので説明を省略する。
【００２７】
以上のように、この実施の形態４によれば、リブ段差部２ｄを鋭角とすることで、開扉２が開放状態の場合に、リブ段差部２ｄと段差部３ｃの係合がより強固になるので、扉２の安定して保持することができる。
【００２８】
実施の形態５．
以下、この発明の実施の形態５について説明する。図９は、この発明の実施の形態５に係る回転扉の保持機構において、リブと扉を別部品とした場合を示す拡大断面図である。図９において、使用時に負荷がかか易いリブ２ｂを扉２から分離した構成としている。その他の構成は、実施の形態１と同様であるので説明を省略する。
【００２９】
以上のように、この実施の形態５によれば、リブ２ｂと扉２を別部品とすることで、万一リブ２ｂが破損した場合でも、保守交換を容易にすることができる。
【００３０】
実施の形態６．
以下、この発明の実施の形態６について説明する。図１０は、この発明の実施の形態６に係る回転扉の保持機構において、板バネ形状を変更した場合を示す拡大断面図である。図１０（ａ）は、板バネ３において段差部３ｃから筐体１方向へ延出する部分を長くすることで、同部を指で摘み易くしている。図１０（ｂ）は、段差部３ｃからＬ字部３ｄまでの部分を長くすることで、同部を指で押し易くしている。図１０（ｃ）は、自由端３ｂの先端部分を筐体１の長さ方向に延出することで、同部を指で押し易くしている。その他の構成は、実施の形態１と同様であるので説明を省略する。
【００３１】
以上のように、この実施の形態６によれば、板バネ３において段差部３ｃ以降の各部を延出することにより、扉２の固定を解除する時に板バネ３の自由端３ｂを押す操作量を少なくすることができる。その結果、実施の形態１に比べて、固定を解除する操作性能を向上することができる。
【００３２】
実施の形態７．
以下、この発明の実施の形態７について説明する。図１１は、この発明の実施の形態７に係る回転扉の保持機構において、板バネ３の各部の配置を規定した場合を示す要部断面図である。図１１において、板バネ３の各部の配置を鉛直方向で上から下へ順に、力の支点となる固定部３ａ、作用点となる段差部３ｃ、力点となる自由端３ｂとしたものである。
【００３３】
以上のように、この実施の形態７によれば、板バネ３において、鉛直方向で上から下へ順に、固定部３ａ、段差部３ｃ、自由端３ｂと配置することにより、自由端３ｂに加えた解除力を最も小さくすることができると共に、段差部３ｃでのロック強度を最も大きくすることができる。
【００３４】
実施の形態８．
以下、この発明の実施の形態８について説明する。図１２は、この発明の実施の形態８に係る回転扉の保持機構において、扉の開放限度を規定した場合を示す要部断面図である。図１２において、力の支点となる固定部３ａを扉２のリブ２ｂと対向する位置に配置したものである。従って、過度な力で扉２を開けた場合でも、固定具４のヘッドとリブ２ｂが当接することにより扉２のストッパの役割を果たす。即ち、扉２の開放限度を規定する。
【００３５】
以上のように、この実施の形態８によれば、固定部３ａをリブ２ｂと対向する位置に配置することで、固定具４のヘッドとリブ２ｂが当接し、扉２のストッパの役割を果たし、扉２が開き過ぎて作業に支障が出ないようにすることができる。
【図面の簡単な説明】
【００３６】
【図１】この発明の実施の形態１に係る回転扉の保持機構において、扉の開放状態を示す全体斜視図である。
【図２】この発明の実施の形態１に係る回転扉の保持機構において、扉の開放状態を示す要部断面図である。
【図３】この発明の実施の形態１に係る回転扉の保持機構において、扉を閉めるために板バネを押している状態を示す要部断面図である。
【図４】この発明の実施の形態１に係る回転扉の保持機構において、扉を閉めている途中を示す要部断面図である。
【図５】この発明の実施の形態１に係る回転扉の保持機構において、扉の閉鎖状態を示す要部断面図である。
【図６】この発明の実施の形態２に係る回転扉の保持機構において、板バネの剛性を向上させた場合を示す要部断面図である。
【図７】この発明の実施の形態３に係る回転扉の保持機構において、板バネの座屈方向を規制した場合を示す要部断面図である。
【図８】この発明の実施の形態４に係る回転扉の保持機構において、リブ段差部を鋭角にした場合を示す拡大断面図である。
【図９】この発明の実施の形態５に係る回転扉の保持機構において、リブと扉を別部品とした場合を示す拡大断面図である。
【図１０】この発明の実施の形態６に係る回転扉の保持機構において、板バネ形状を変更した場合を示す拡大断面図である。
【図１１】この発明の実施の形態７に係る回転扉の保持機構において、板バネ構造の各部の配置を規定した場合を示す要部断面図である。
【図１２】この発明の実施の形態８に係る回転扉の保持機構において、扉の開放限度を規定した場合を示す要部断面図である。
【符号の説明】
【００３７】
１  筐体、１ａ  孔部、２  扉、２ａ  回転軸、２ｂ  リブ、２ｃ  リブ円弧部、２ｄ  リブ段差部、３  板バネ、３ａ  固定部（支点）、３ｂ  自由端（力点）、３ｃ  段差部（作用点）、３ｄ  Ｌ字部、３ｅ  曲げ部、３ｆ  凸部、４  固定具。
【図１】
2006336383.tif 000003
【図２】
2006336383.tif 000004
【図３】
2006336383.tif 000005
【図４】
2006336383.tif 000006
【図５】
2006336383.tif 000007
【図６】
2006336383.tif 000008
【図７】
2006336383.tif 000009
【図８】
2006336383.tif 000010
【図９】
2006336383.tif 000011
【図１０】
2006336383.tif 000012
【図１１】
2006336383.tif 000013
【図１２】
2006336383.tif 000014